(57)【要約】【課題】温風暖房装置において、燃焼時及び非燃焼時にマイナスイオンを効率よく多量に発生させ補充することで、快適性の高い暖房装置の実現を図るとともに、送風機の耐久性を向上させる使い方を提供するものである。【解決手段】送風機１８からの空気流路１９の適所にマイナスイオン発生手段２２を配設するとともに、非燃焼時におけるマイナスイオン発生手段２２の作動時の送風機１８の回転数を燃焼時より低い回転数になるようにように通電制御する構成としてある。【選択図】  図１
2004191000.tif 000002
【特許請求の範囲】
【請求項１】
燃料を燃焼させるバーナ部と、空気流を供給する送風機と、上記送風機からの空気流とバーナ部からの高温ガスを混合あるいは熱交換して温風として排出する温風吹出口とを備え、上記送風機からの空気流路の適所にマイナスイオン発生手段を配設するとともに、非燃焼時における上記マイナスイオン発生手段の作動時は送風機の回転数を燃焼時より低い回転数になるように通電制御してなる温風暖房装置。
【請求項２】
非燃焼時におけるマイナスイオン発生手段の作動時の送風機の回転数は、動作開始初期の所定時間、高回転数とし、その後、燃焼時より低い回転数になるように通電制御してなる請求項１記載の温風暖房装置。
【請求項３】
非燃焼時におけるマイナスイオン発生手段の作動時の送風機の通電制御は、送風機の通電を間欠にした請求項１記載の温風暖房装置。
【請求項４】
非燃焼時におけるマイナスイオン発生手段の作動時の送風機の通電制御は、送風機の通電を間引き制御した請求項１記載の温風暖房装置。
【発明の詳細な説明】
【０００１】
【発明の属する技術分野】
本発明は、室内空気と高温ガスを混合して暖房に用いる温風暖房装置に関するものである。
【０００２】
【従来の技術】
従来この種の温風暖房装置は図４に示すように、タンク１にカートリッジタンク２から燃料が供給され、同タンク２の燃料はポンプ３によって気化部４に供給される。そしてこの気化部４で気化されて燃料ガスとなり、ノズル５より水平方向に噴出される。このノズル５から噴出された燃料は、エジェクタ効果により一次空気を吸引しながら気化部４の下流側に離れて設けた混合管６内に噴出されここで混合して、混合管６と一体のライン形状のバーナ部７に供給され、そこで燃焼される。生じた燃焼ガスは、バーナ部７の周囲を覆うように配設された燃焼筒８で上方へ導かれ、上記燃焼筒８を覆ったダクト９で送風機１０からの室内空気流と混合され、温風として排出されて暖房に利用される。そして、この温風暖房装置は室温と設定温度に応じて、ポンプ３の駆動周波数や印加電圧を変えて燃料供給量を自動調節するなど、制御器であらかじめ決まられたシーケンスで所定の動作をするように制御されている。
【０００３】
以上のように従来の温風暖房装置は、暖房感を向上することに主眼がおかれ、室内環境を改善するという取り組みにおいては多少劣るものであった。
【０００４】
しかしながら、近年、健康面への関心が高まり、温風吹出口に数種類のセラミックを混合して得られた複合セラミック等、マイナスイオン発生手段を取り付け、積極的にマイナスイオンを室内に供給するようにした機器が開発されている（特許文献１参照）。
【０００５】
【特許文献１】
特開平１１−２１１２３６号公報
【０００６】
【発明が解決しようとする課題】
上記のマイナスイオン発生手段を設けていない温風暖房装置は、主に冬場の室内の暖房に使われるため、締め切った部屋で長時間使われて、室内環境としては、室内温度は設定した温度に保たれるものの、空質という面ではあまりよくない場合の使われ方が多く、ホコリっぽかったり、炭酸ガス等が増え、つまり、室内の空気に含まれる、喫煙成分、臭気、ホルムアルデヒド等のＶＯＣ、その他の化学物質、一酸化炭素、二酸化炭素、オゾン、細菌・かび・ウイルスといった微生物の蓄積、またそして、マイナスイオンの減少などが生じるという悪環境での使われ方をなされる場面が多々想定された。
【０００７】
また、上述の従来例の暖房熱源を燃焼熱を用いたものにおいては、燃焼の炎プラズマ効果によって、多量のプラスイオンとマイナスイオンをほぼ同量発生するが、マイナスイオンは室内のホコリ等によって早く消失するので、結果的に、室内のプラスイオンとマイナスイオンのバランスが崩れ、プラスイオンとマイナスイオンのイオン比が大きくなり過ぎていまい、室内温度は設定した温度に保たれるものの、室内環境が悪化する心配があった。
【０００８】
また、温風吹出口にマイナスイオンを発生する物質を取り付けたものにあっては、所定量のマイナスイオンを確保しようとする場合、かなり大きな容積を必要とし温風吹出口全体にマイナスイオンを発生する物質を配設することになる。この場合、温風吹出口で風路抵抗が増大し適正な風量が確保できなくなったり、機器内の温度が異常に上昇する等の問題が発生する。
【０００９】
そこで本発明は、温風暖房時にマイナスイオンを効率よく多量に発生させ補充することで、プラスイオンとマイナスイオンのバランスを改善させ室内環境を高品位に保ちつつ、室内全体も暖房することのできる快適性の高い暖房装置を実現するとともに、マイナスイオン発生装置の使用頻度を加味して送風機の耐久性を向上する使い方を提供することを目的としたものである。
【００１０】
【課題を解決するための手段】
本発明は上記目的を達成するため、燃料を燃焼させるバーナ部と、空気流を供給する送風機と、上記送風機からの空気流とバーナ部からの高温ガスを混合あるいは熱交換して温風として排出する温風吹出口とを備え、上記送風機からの空気流路の適所にマイナスイオン発生手段を配設するとともに、非燃焼時における上記マイナスイオン発生手段の作動時は送風機の回転数を燃焼時より低い回転数になるように通電制御するようにしてある。
【００１１】
上記発明によれば、空気流路の適所にマイナスイオン発生手段を配設してあるので、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。
【００１２】
また、空気流路の適所にマイナスイオン発生手段を配設してあるので、マイナスイオン発生手段から放出されたマイナスイオンが温風によって、部屋全体まで到達させることができるようになり、マイナスイオンの効果がより効果的に発揮させることができるとともに、送風手段も該機器の温風発生用とマイナスイオン用を兼ねることができ、安価で構成も簡単にすることができる。
【００１３】
さらに、マイナスイオン発生手段の作動をバーナ部の燃焼にかかわらず作動するようにすると、非燃焼時にマイナスイオン発生手段のみを作動させるという使い方が追加され、送風機の使用時間が従来の暖房運転時のみに比べて増加し、耐久性が問題となる。特に、バーナ部の燃焼時は使用期間が限られるが、マイナスイオン発生手段の作動時は使用期間が常時となるので、送風機の寿命が５〜６倍早くなってしまう心配を生じる。
【００１４】
そこで、非燃焼時におけるマイナスイオン発生手段の作動時は送風機の回転数を燃焼時より低い回転数になるように通電制御することで、マイナスイオン発生手段の単独作動時を加味しても送風機の寿命を大幅に延長することができる。
【００１５】
一般的に、温風暖房装置に用いられる送風機は交流式隈取りモータが主流で、この送風機の寿命は軸受け部の機械的摩耗が主であり、送風機の総回転数に比例するので、送風機の通電制御を大幅に低い回転数になるようにすることにより、マイナスイオン発生手段の単独作動時における送風機の寿命は大幅に改善されるようになる。
【００１６】
そしてまた、使用者は非燃焼時におけるマイナスイオン発生手段の作動時は送風機からの空気流を冷風感としてを感じるようになるが、このマイナスイオン発生手段単独動作時の送風機の回転数を燃焼時より低い回転数になるように通電制御することで、上述の冷風感も緩和され使用感が向上する。
【００１７】
【発明の実施の形態】
請求項１記載の温風暖房装置は、燃料を燃焼させるバーナ部と、空気流を供給する送風機と、上記送風機からの空気流とバーナ部からの高温ガスを混合あるいは熱交換して温風として排出する温風吹出口とを備え、上記送風機からの空気流路の適所にマイナスイオン発生手段を配設するとともに、非燃焼時における上記マイナスイオン発生手段の作動時は送風機の回転数を燃焼時より低い回転数になるように通電制御してある。
【００１８】
そして、空気流路の適所にマイナスイオン発生手段を配設してあるので、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。
【００１９】
また、空気流路の適所にマイナスイオン発生手段を配設してあるので、マイナスイオン発生手段から放出されたマイナスイオンが温風によって、部屋全体まで到達させることができるようになり、マイナスイオンの効果がより効果的に発揮させることができるとともに、送風手段も該機器の温風発生用とマイナスイオン用を兼ねることができ、安価で構成も簡単にすることができる。
【００２０】
さらに、マイナスイオン発生手段の作動をバーナ部の燃焼にかかわらず作動するようにすると、非燃焼時にマイナスイオン発生手段のみを作動させるという使い方が追加され、送風機の使用時間が従来の暖房運転時のみに比べて増加し、耐久性が問題となる。特に、バーナ部の燃焼時は使用期間が限られるが、マイナスイオン発生手段の作動時は使用期間が常時となるので、送風機の寿命が５〜６倍早くなってしまう心配を生じる。
【００２１】
そこで、非燃焼時におけるマイナスイオン発生手段の作動時は送風機の回転数を燃焼時より低い回転数になるように通電制御することで、マイナスイオン発生手段の単独作動時を加味しても送風機の寿命を大幅に延長することができる。
【００２２】
一般的に、温風暖房装置に用いられる送風機は交流式隈取りモータが主流で、この送風機の寿命は軸受け部の機械的摩耗が主であり、送風機の総回転数に比例するので、送風機の通電制御を大幅に低い回転数になるようにすることにより、マイナスイオン発生手段の単独作動時における送風機の寿命は大幅に改善されるようになる。
【００２３】
そしてまた、使用者は非燃焼時におけるマイナスイオン発生手段の作動時は送風機からの空気流を冷風感としてを感じるようになるが、このマイナスイオン発生手段単独動作時の送風機の回転数を燃焼時より低い回転数になるように通電制御することで、上述の冷風感も緩和され使用感が向上する。
【００２４】
また、請求項２記載の温風暖房装置は、非燃焼時におけるマイナスイオン発生手段の作動時の送風機の回転数は、動作開始初期の所定時間、高回転数とし、その後、燃焼時より低い回転数になるように通電制御してある。
【００２５】
そして、送風機の回転数を低くしすぎると、回転開始時の起動トルクが必要なために回転を開始しなかったり、回転開始が遅れたりする課題を生じるが、送風機の回転開始時に起動トルクより高いトルクが得られる通電制御量を所定時間行った後に、バーナ部の非燃焼時の送風機の回転数は燃焼時より低い回転数になるように通電制御するようにしてあるので、確実に回転させることが出来、早い立ち上がりで所定の回転数を得られるとともに、マイナスイオン発生手段の作動時におけるバーナ部の非燃焼時の送風機の回転数をより下げることができるようになる。
【００２６】
また、請求項３記載の温風暖房装置は、非燃焼時におけるマイナスイオン発生手段の作動時の送風機の通電制御は送風機の通電を間欠通電としてある。
【００２７】
そして、マイナスイオン発生手段の作動時におけるバーナ部の非燃焼時の送風機の通電制御は送風機の通電を間欠とした構成としてあるので、マイナスイオン発生手段の作動時におけるバーナ部の非燃焼時の送風機の総回転数を少なくすることができ、送風機の寿命は大幅に改善されるようになる。
【００２８】
また、低い回転数になるように通電制御する構成は、その下げ幅を大きくすればするほど部品バラツキなどの影響を受けやすいが、送風機の通電制御は送風機の通電を間欠としてあるので、通電時間と非通電時間をコントロールして送風機の総合回転数を合わすことで、簡単に精度よく制御することができるようになる。
【００２９】
さらに、送風機から生じる空気流は強弱の団塊流となって遠くまで到達するようになり、循環流が部屋全体に行き渡りやすくなるので、少ない循環流で部屋の均一性が増すとともに、循環流量を減少させることができ、更に気流感をなくすことができる。
【００３０】
また、請求項４記載の温風暖房装置は、非燃焼時におけるマイナスイオン発生手段の作動時の送風機の通電制御は送風機の通電を間引き制御とした構成としてある。
【００３１】
そして、マイナスイオン発生手段の作動時におけるバーナ部の非燃焼時の送風機の通電制御は送風機の通電を間引き制御としてあるので、マイナスイオン発生手段の作動時におけるバーナ部の非燃焼時の送風機の総回転数を少なくすることが出来、送風機の寿命は大幅に改善されるようになる。
【００３２】
また、低い回転数になるように通電制御する構成は、その下げ幅を大きくすればするほど部品バラツキなどの影響を受けやすいが、送風機の通電制御は送風機の通電を間引き制御としてあるので、間引く量で送風機の回転数を合わせて簡単に精度よく制御することができるようになる。
【００３３】
【実施例】
以下、本発明の実施例について図面を用いて説明する。
【００３４】
（実施例１）
図１は本発明の実施例の温風暖房装置の要部断面図、図２は同温風暖房装置の断面図、図３は同温風暖房装置の制御ブロック図である。
【００３５】
図１、図２において、１１はケースで、その下方側部に液体燃料を保有するタンク１２とそのタンク１２上部に着脱自在なカートリッジタンク１３が配設してある。１４はタンク１２の上面に取り付けたポンプで、その上端から送油パイプ１５を介してバーナ部１６に燃料を供給するようになっている。バーナ部１６は、発生した燃焼ガスを上方へ導くように配設した全面上部に開口部を有する有天状の筒形形状の燃焼筒１７で覆われ、また燃焼筒１７の背部には室内空気流を取入れ送出する送風機１８が配設してあり、その送風機からの空気流の一部は燃焼筒内に取り込まれ、燃焼用空気として用いられている。
【００３６】
１９は上記燃焼筒１７から高温の燃焼排ガスと送風機１８からの室内空気流を混合し下流側で温風とする送風経路を形成するダクトで、混合されてできた温風は、温風の流れる方向を制御するルーバ２０を有する温風吹出口２１からを介して排出するようにしてある。
【００３７】
２２は、温風吹出口２３に設けたマイナスイオン発生手段で、マイナスイオン発生手段２２の周囲を流れる空気流上流側に遮蔽体２３を配設して、マイナスイオン発生手段２２から発生したマイナスイオンをマイナスイオン発生手段２２の周囲を流れる送風機からの空気流で拡散させるようにしてあり、マイナスイオン発生手段２２に送風機１８からの空気流が直接的に接触しないように構成してある。
【００３８】
２４は上記ポンプ１４や送風モータ１９を制御してバ−ナ部１６を燃焼させる制御部で、操作部から入力される運転条件信号に基づいてポンプ１４やバーナ部１６やマイナスイオン発生手段２２などを予め決められたシーケンスで制御するようになっている。
【００３９】
また、マイナスイオン発生手段２２の作動は単独運転出来るようになっていて、バーナ部１６の燃焼時あるいは非燃焼時にかかわらず使用者が作動させることができるようになっていて、非燃焼時のマイナスイオン発生手段２２の作動には、制御部２４は、送風機１８の回転数を燃焼時より低い回転数になるようにコントロールする。
【００４０】
上記構成において、カートリッジタンク１３から一定油面を保つようにタンク１２に供給されている液体燃料は、ポンプ１４によってタンク１２から吸い上げられ、送油パイプ１５を介してバーナ部１６に送られ燃焼され、発生した高温の燃焼排ガスは燃焼筒１７の上方へ流れてゆき、ダクト１９内で送風機１８からの室内空気流と混合され、温風として温風吹出口２１よりルーバ２０を介して吹き出し方向を制御され排出されて暖房に利用される。
【００４１】
そして、制御部２４は、マイナスイオン発生手段２２の作動は使用者が選択するようになっていて、送風機１８は、バーナ部１６の燃焼時のマイナスイオン発生手段２２の作動時にはバーナ部１６の燃焼条件に応じた回転数で、非燃焼時のマイナスイオン発生手段２２の作動時には燃焼時の回転数より低い回転数となるように制御してあり、また、マイナスイオン発生手段２２から発生したマイナスイオンは、遮蔽体２３を設けてあるので、マイナスイオン発生手段２２に送風機１８からの空気流が直接的に接触せずに、マイナスイオン発生手段２２の周囲を流れる送風機１８からの空気流で拡散するようになる。
【００４２】
つまり、制御部２４は、マイナスイオン発生手段２２の作動時における送風機１８の回転開始時に、起動トルクより高いトルクが得られる通電制御量を所定時間行った後、バーナ部１６の非燃焼時の送風機１８の通電制御は燃焼時より低い回転数になるように、送風機１８の通電制御は送風機１８の通電を間引き制御するとともに、その通電を間欠としてあり、燃焼時の回転数より低い回転数としてある。
【００４３】
ここで、室内のプラスイオンとマイナスイオンのバランスが崩れ、プラスイオンとマイナスイオンのイオン比が大きくなりやすい暖房熱源を燃焼熱を用いたものにおいて、マイナスイオン発生手段２２を温風吹出口２１に配設してあるので、マイナスイオンが補充され、締め切った部屋で長時間使われても、プラスイオンとマイナスイオンのイオン比が大きくなり過ぎるのを防止でき、室内環境を高品位に保ちつつ、室内全体も暖房することができるようになる。
【００４４】
さらに、マイナスイオン発生手段２２の空気流上流側に遮蔽体２３を配設して、マイナスイオン発生手段２２から発生したマイナスイオンをマイナスイオン発生手段２２の周囲を流れる送風機１８からの空気流で拡散させる構成としてあるので、マイナスイオン発生手段２２に送風機１８からの空気流が直接的に接触しないようにすることができ、送風機１８からの空気流に混入したホコリなどの異物がマイナスイオン発生手段２２に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることができる。
【００４５】
そして、マイナスイオン発生手段２２の周囲および下流側の空気流路の表面は、電気絶縁性を有する塗装鋼板で形成してあるので、マイナスイオン量を減少させることなく機器より放出させることが出来るとともに、樹脂材料等の電気絶縁体で覆う構成よりも、高耐熱性を得ることが出来、樹脂材料部分の変形や発火・発煙などの課題が無くなり、さらに、簡単となり安価に構成とすることができる。
【００４６】
また、空気流路の適所にマイナスイオン発生手段２２を配設してあるので、マイナスイオン発生手段２２から放出されたマイナスイオンが温風によって、部屋全体まで到達させることができるようになり、マイナスイオンの効果がより効果的に発揮させることができるとともに、送風手段も該機器の温風発生用とマイナスイオン用を兼ねることができ、安価で構成も簡単にすることができる。
【００４７】
ここでまた、マイナスイオン発生手段２２の作動は、バーナ部１６の燃焼に関わらず作動するようにすると、バーナ部１６の燃焼時とマイナスイオン発生手段２２の作動時の送風機１８の回転させることによって、送風機１８の寿命が早く来てしまい、特に、バーナ部１６の燃焼時は使用期間が限られるが、マイナスイオン発生手段２２の作動時は使用期間が常時となるので、送風機１８の寿命が早くなってしまう課題を生じる。
【００４８】
つまり、年に５ヶ月間で一日に１０時間使用したとすると、年間の暖房使用時間は、１５００時間となり、それに加え、マイナスイオン発生手段２２の単独での作動は、年間を通じて残りの７ヶ月で一日に１０時間使用したとすると、２１００時間となり、合わせると３６００時間となり、通常使われる送風機１８の時間が２．４倍となり、その分寿命が短くなり、合わせてマイナスイオン発生手段２２の単独での作動は、一日に１０時間よりももっと多く使用される可能性があり、さらに、送風機１８の寿命が早くなってしまう心配がある。
【００４９】
しかしながら、制御部２４は、マイナスイオン発生手段２２の作動時における送風機１８の回転開始時に、起動トルクより高いトルクが得られる通電制御量を所定時間行った後、バーナ部１６の非燃焼時の送風機１８の通電制御は燃焼時より低い回転数になるようにように、送風機１８の通電制御は送風機１８の通電を間引き制御するとともに、その通電を間欠として組み合わせてあるので、バーナ部１６の非燃焼時の送風機１８の通電制御は燃焼時より大幅に低い回転数することが出来る。
【００５０】
例えば、制御部２４は、マイナスイオン発生手段２２の作動時における送風機１８の回転開始時に、送風機１８の最大の通電量で短時間（回転数があまり高くならず回転は確実になる時間、例えば２００ｍｓ）で立ち上げた後、送風機１８の通電制御を間引き制御（例えば１／２に間引く制御、ｏｎ：２ｍｓ、ｏｆｆ：２ｍｓで回転数を１／２に）を行い、さらにその間引き制御の通電時間を間欠（例えば、通電制御を１／２となるような制御、ｏｎ：２秒、ｏｆｆ：２秒で総回転数を１／２に）として、弱い回転数で強弱揺らぐような送風をするようにして、回転数（例えば１分間あたり１／４の総回転数）を大幅に下げ、送風機１８の寿命は大幅に改善されるようになる。
【００５１】
一般的に、温風暖房装置に用いられる交流式隈取りモータなどにおける送風機１８の寿命は軸受け部の機械的摩耗が主であり、送風機１８の総回転数に比例するので、送風機１８の通電制御を大幅に低い回転数（例えば１／４の回転数）になるようにすることにより、マイナスイオン発生手段２２の単独作動時における送風機１８の総回転数を減少ことが出来、マイナスイオン発生手段２２を単独に作動したとしても、送風機１８の寿命は大幅に改善される（例えば、通常使われる送風機１８の時間が１．３５倍相当とすることができるようになる）。
【００５２】
また、この低い回転数になるように通電制御する構成は、その下げ幅を大きくすればするほど部品バラツキなどの影響を受けやすいが、送風機１８の通電制御は送風機１８の通電を間引き制御とその通電を間欠として組み合わせてあるので、間引く量と通電時間と非通電時間をコントロールして送風機１８の総合回転数を合わすことで簡単に精度良く制御することが出来るようになる。
【００５３】
さらに、送風機１８の通電制御は間欠制御を取り入れてあるので、送風機１８から生じる空気流は強弱の団塊流となり遠くまで到達するようになり、循環流が部屋全体に行き渡りやすくなるので、少ない循環流で、部屋の均一性が増すとともに、循環流量を減少させることができ、更に気流感をなくすことができる。
【００５４】
そしてまた、使用者は、送風機１８マイナスイオン発生手段２２の作動時におけるバーナ部１６の非燃焼時の送風機１８からの空気流を冷風感としてを感じるようになるが、送風機１８は燃焼時より低い回転数になるように通電制御する構成としてあるので、上述の冷風感も緩和され、使用感が向上する。
【００５５】
なお上記実施例では、マイナスイオン発生手段２２の作動時におけるバーナ部１６の非燃焼時の送風機１８の通電制御で、送風機１８の回転開始時に起動トルクより高いトルクが得られる通電制御量を所定時間行った後に、バーナ部１６の非燃焼時の送風機１８の回転数は燃焼時より低い回転数になるように通電制御する構成と、送風機１８の通電を間引き制御とする構成と、送風機１８の通電を間欠とする構成を同時に説明したが、これは個別にしてもよく、その他各部の構成も本発明の目的を達成する範囲であればその構成はどのようなものであってもよい。
【００５６】
【発明の効果】
以上のように本発明によれば、空気流路の適所にマイナスイオン発生手段を配設してあるので、締め切った部屋で長時間使われても、マイナスイオンが補充され、プラスイオンとマイナスイオンのイオン比が大きくなり過ぎるのを防止でき、室内環境を高品位に保ちつつ、室内全体も暖房することができるようになる。
【００５７】
また、空気流路の適所にマイナスイオン発生手段を配設してあるので、マイナスイオン発生手段から放出されたマイナスイオンが温風によって、部屋全体まで到達させることができるようになり、マイナスイオンの効果がより効果的に発揮させることができるとともに、送風手段も該機器の温風発生用とマイナスイオン用を兼ねることができ、安価で構成も簡単にすることができる。
【００５８】
さらに、マイナスイオン発生手段の作動をバーナ部の燃焼にかかわらず作動するようにすると、非燃焼時にマイナスイオン発生手段のみを作動させるという使い方が追加され、送風機の使用時間が従来の暖房運転時のみに比べて増加し、耐久性が問題となる。特に、バーナ部の燃焼時は使用期間が限られるが、マイナスイオン発生手段の作動時は使用期間が常時となるので、送風機の寿命が５〜６倍早くなってしまう心配を生じる。
【００５９】
そこで、非燃焼時におけるマイナスイオン発生手段の作動時は送風機の回転数を燃焼時より低い回転数になるように通電制御することで、マイナスイオン発生手段の単独作動時を加味しても送風機の寿命を大幅に延長することができる。
【００６０】
一般的に、温風暖房装置に用いられる送風機は交流式隈取りモータが主流で、この送風機の寿命は軸受け部の機械的摩耗が主であり、送風機の総回転数に比例するので、送風機の通電制御を大幅に低い回転数になるようにすることにより、マイナスイオン発生手段の単独作動時における送風機の寿命は大幅に改善されるようになる。
【００６１】
そしてまた、使用者は非燃焼時におけるマイナスイオン発生手段の作動時は送風機からの空気流を冷風感としてを感じるようになるが、このマイナスイオン発生手段単独動作時の送風機の回転数を燃焼時より低い回転数になるように通電制御することで、上述の冷風感も緩和され使用感が向上する。
【図面の簡単な説明】
【図１】本発明の実施例１の温風暖房装置の要部断面図
【図２】同温風暖房装置の断面図
【図３】同温風暖房装置の制御ブロック図
【図４】従来の温風暖房装置の断面図
【符号の説明】
１１  バーナ部
１８  送風機
１９  ダクト（空気流路）
２１  温風吹出口
２２  マイナスイオン発生手段
２４  制御部
【図１】
2004191000.tif 000003
【図２】
2004191000.tif 000004
【図３】
2004191000.tif 000005
【図４】
2004191000.tif 000006